(57)【要約】      （修正有）【課題】端子収容室に収容される端子のガタ付きを抑制する。【解決手段】コネクタ１１は、内部に端子収容室１７ａ，１７ｂが形成された筒状のコネクタハウジング１９と、端子収容室１７ａ，１７ｂに挿入される端子２１と、端子２１の挿入方向と交差する方向からコネクタハウジング１９に装着されて端子を抜け止めするリテーナ２３とを備える。リテーナ２３は、コネクタハウジング１９の端子収容室１７ａ，１７ｂの壁に形成された開口から挿入されて端子収容室１７ａ，１７ｂに収容された端子に接触する端子接触部６３ａ，６３ｂが形成され、端子接触部は、リテーナ２３がコネクタハウジング１９の正規位置まで移動する過程で端子２１を端子収容室１７ａ，１７ｂの前方に押し出す形状に形成される。【選択図】図１
2017054674.tif 000002
【特許請求の範囲】
【請求項１】
内部に端子収容室が形成された筒状のコネクタハウジングと、前記端子収容室に後方から挿入される端子と、前記端子の挿入方向と交差する方向から前記コネクタハウジングに装着されて前記端子収容室に収容された前記端子を抜け止めするリテーナとを備え、
前記リテーナは、前記コネクタハウジングの前記端子収容室の壁に形成された開口から挿入されて前記端子収容室に収容された前記端子に接触する端子接触部が形成され、該端子接触部は、前記リテーナが前記コネクタハウジングの正規位置まで移動する過程で前記端子を前記端子収容室の前方に押し出す形状に形成されてなるコネクタ。
【請求項２】
前記端子接触部は、前記端子を前記端子収容室の前方に押し出す方向に傾斜する傾斜面を有して形成される請求項１に記載のコネクタ。
【請求項３】
前記コネクタハウジングは、複数の前記端子収容室が並列に形成され、
前記リテーナは、各端子収容室にそれぞれ対応する複数の前記端子接触部を有し、各端子接触部は、前記開口に向かって突出する方向に前記傾斜面が重なり合わないように互いの位置をずらして設けられる請求項２に記載のコネクタ。
【請求項４】
前記コネクタハウジングは、前記リテーナを前記端子収容室の前方に案内する方向に傾斜する案内面が前記開口に形成され、
前記リテーナは、前記案内面に沿ってスライドするスライド面を有しており、前記端子接触部の前記端子と接触する面が、前記端子の挿入方向と直交する方向に延在する平面状に形成されている請求項１に記載のコネクタ。
【発明の詳細な説明】
【技術分野】
【０００１】
本発明は、コネクタに係り、特にハウジングの端子収容室に収容された端子を抜け止めするリテーナを備えたコネクタに関する。
【背景技術】
【０００２】
特許文献１には、コネクタハウジングの端子収容室に後方から端子を挿入し、この端子の挿入方向と直交する方向からコネクタハウジングにリテーナを装着し、端子収容室に挿入された端子をリテーナで係止することにより、端子収容室から端子が抜け出すのを防止するコネクタが記載されている。
【０００３】
リテーナは、端子収容室に端子が中途挿入されているときは、端子に当接してコネクタハウジングの正規位置への装着が規制され、端子収容室に端子が完全挿入されているときは、先端部が端子収容室に挿入されるため、正規位置への装着が可能になる。正規位置に装着されたリテーナは、端子収容室に挿入された先端部が端子の抜け方向への移動を規制するため、端子収容室に収容された端子を保持することができる。
【先行技術文献】
【特許文献】
【０００４】
【特許文献１】特開２０１２−６４４６３号公報
【発明の概要】
【発明が解決しようとする課題】
【０００５】
しかしながら、特許文献１では、端子収容室に収容された端子にガタ付きが生じることがある。例えば、端子収容室にリテーナの一部が挿入される場合、リテーナが端子収容室に収容された端子と接触することで損傷するのを防ぐため、リテーナと対向する端子の端面とリテーナとの間に所定の隙間を設けておくことがある。そのため、雌端子には、隙間の大きさに応じたガタ付きが発生し、相手方の端子との接触信頼性の低下が懸念される。
【０００６】
本発明は、端子収容室に収容される端子のガタ付きを抑制することができるコネクタを提供することを課題とする。
【課題を解決するための手段】
【０００７】
上記課題を解決するため、本発明のコネクタは、内部に端子収容室が形成された筒状のコネクタハウジングと、端子収容室に後方から挿入される端子と、この端子の挿入方向と交差する方向からコネクタハウジングに装着されて端子収容室に収容された端子を抜け止めするリテーナとを備え、リテーナは、コネクタハウジングの端子収容室の壁に形成された開口から挿入されて端子収容室に収容された端子に接触する端子接触部が形成され、この端子接触部は、リテーナがコネクタハウジングの正規位置まで移動する過程で端子を端子収容室の前方に押し出す形状に形成されていることを特徴とする。
【０００８】
これによれば、リテーナは、コネクタハウジングの正規位置まで移動させる過程で、端子接触部を端子に押し当てて、端子収容室の前方へ端子を押し込み、コネクタハウジングの正規位置に装着されると、端子が端子収容室の後方へ移動するのを規制する。これにより、端子収容室に押し込まれた端子を端子収容室内に保持することができるから、端子のガタ付きを抑制することができる。
【０００９】
この場合において、端子接触部は、端子を端子収容室の前方に押し出す方向に傾斜する傾斜面を有して形成されることが好ましい。これによれば、端子接触部の傾斜面に沿ってリテーナの装着方向と異なる方向に端子を押し込むことができるから、リテーナの設計自由度を高めることができる。
【００１０】
また、コネクタハウジングは、複数の端子収容室が並列に形成され、リテーナは、各端子収容室にそれぞれ対応する複数の端子接触部を有し、各端子接触部は、開口に向かって突出する方向に傾斜面が重なり合わないように互いの位置をずらして設けられることが好ましい。これによれば、リテーナを合成樹脂の射出成形により形成する場合、各端子接触部の傾斜面を１つのスライド型で同時に成形するときの設計自由度を高めることができる。
【００１１】
一方、本発明は、端子接触部に傾斜面を形成することに代えて、以下のように構成することもできる。すなわち、コネクタハウジングは、リテーナを端子収容室の前方に案内する方向に傾斜する案内面が開口に形成され、リテーナは、この案内面に沿ってスライドするスライド面を有しており、端子接触部の端子と接触する面が、端子の挿入方向と直交する方向に延在する平面状に形成されているものとする。
【００１２】
これによれば、リテーナは、スライド面が案内面に沿って移動することにより、リテーナ全体が端子の挿入方向に向かって移動し、端子接触部が端子を前方に押し出しながら移動する。そして、コネクタハウジングの正規位置に装着されたリテーナは、端子の挿入方向と直交する方向に延在する平面状の端子接触部が端子の後方への移動を規制する。したがって、本発明によれば、端子収容室に収容された端子に端子接触部が広い範囲で接触して抜け方向の移動を規制できるから、端子の保持力をより安定させることができる。
【発明の効果】
【００１３】
本発明に係るコネクタによれば、端子収容室に収容される端子のガタ付きを抑制することができる。
【図面の簡単な説明】
【００１４】
【図１】第１の実施形態において、雌コネクタと相手方の雄コネクタが嵌合する前のコネクタの分解斜視図である。
【図２】リテーナが装着された雌コネクタの部分断面図である。
【図３】雌端子の外観斜視図である。
【図４】リテーナの外観斜視図である。
【図５】リテーナの側面図である。
【図６】リテーナが装着されるときの動作を説明する図であり、（ａ）はリテーナが仮係止された状態の側面図とそのＡ−Ａ矢視方向の断面図、（ｂ）はリテーナが本係止された状態の側面図とそのＢ−Ｂ矢視方向の断面図である。
【図７】第２の実施形態のリテーナの要部を示す横断面図である。
【図８】第３の実施形態のリテーナの動作を説明する図であり、（ａ）はリテーナが仮係止された状態の断面図、（ｂ）はリテーナが正規位置まで移動する途中の断面図、（ｃ）はリテーナが正規位置に装着された状態の断面図である。
【発明を実施するための形態】
【００１５】
（第１の実施形態）
以下、本発明の第１の実施形態について図面を参照して説明する。図１は本実施形態のコネクタ１１の分解斜視図である。このコネクタ１１は、本発明が適用されるコネクタである雌コネクタ１３と、雌コネクタ１３と嵌合される雄コネクタ１５とを備える。本実施形態では、本発明が適用されるコネクタを雄コネクタ１５として説明するが、雌コネクタ１３に適用することもできる。なお、以下の説明では、図１のＸ方向を前後方向、Ｙ方向を幅方向、Ｚ方向を高さ方向と定義し、各コネクタ１３，１５の嵌合方向を前方とする。
【００１６】
雌コネクタ１３は、図１及び図２に示すように、内部に雌端子収容室１７ａ，１７ｂが形成された合成樹脂製の筒状の雌コネクタハウジング１９と、各雌端子収容室１７ａ，１７ｂに収容された雌端子２１と、雌コネクタハウジング１９に幅方向（横方向）から装着され、雌端子収容室１７ａ，１７ｂに収容された雌端子２１を抜け止めするリテーナ２３とを備える。雄コネクタ１３は、図１に示すように、車両等に搭載された機器２５に直結された合成樹脂製の筒状の雄コネクタハウジング２７に、図示しない雄端子が収容されている。
【００１７】
雌コネクタハウジング１９は、筒状のインナーハウジング２９と、インナーハウジング２９の外周面と間隔をあけてこの外周面を包囲する筒状のアウターハウジング３１とを連ねて形成される。インナーハウジング２９は、アウターハウジング３１の前端面よりも前方に張り出して形成され、アウターハウジング３１に包囲された円筒状の外周面に環状のシール部材（不図示）が装着され、アウターハウジング３１から張り出した角筒状の外周面にリテーナ２３が装着される。インナーハウジング２９の外周面とアウターハウジング３１の内周面との隙間には、雄コネクタハウジング２７が挿入され、インナーハウジング２９の外周面と雄コネクタハウジング２７の内周面との隙間がシール部材でシールされるようになっている。
【００１８】
インナーハウジング２９の内部には、２つの雌端子収容室１７ａ，１７ｂが並列に配置されている。各雌端子収容室１７ａ，１７ｂは、インナーハウジング２５の前端部に形成された挿入口３３を介して外部に開放され、挿入口３３からタブ状の雄端子が挿入されるようになっている。雌端子収容室１７ａ，１７ｂは、互いに後述する壁部によって仕切られている。
【００１９】
インナーハウジング２９の外周面には、両ハウジング１９，２７の嵌合時に両ハウジング１９，２７を互いにロックするハウジングアーム３５が突出して形成される。ハウジングアーム３５は、全体が門型に形成され、インナーハウジング２９の外周面に片持ち状に支持されて前方に向かって略水平に延びる一対の弾性アーム片３７と、各弾性アーム片３７の前端部同士を幅方向に架橋する係止片３９とを有している。係止片３９はハウジング１９，２７の嵌合時に、雄コネクタハウジング２７の外周面から突出する係止突起（不図示）を係止することで、両ハウジング１９，２７をロックするようになっている。
【００２０】
ハウジングアーム３５は、その後端部を支点として係止片３９が上方に揺動して弾性変形可能になっている。ハウジングアーム３５には、一対の弾性アーム片３７の前端部にそれぞれ片持ち状に支持され、後方に向かって延出する門型のロックアーム４１が連接されている。ロックアーム４１は、ハウジングアーム３５の係止状態の解除時に押圧される操作部４３を有しており、この操作部４３は弾性アーム片３７よりも高い位置に配置されている。
【００２１】
アウターハウジング３１には、幅方向に間隔をあけて立設する一対の保護壁４５が設けられる。各保護壁４５は、アウターハウジング３１の前後方向の全長に亘って立設され、これらの内側に位置するハウジングアーム３５及びロックアーム４１を幅方向の両側から保護するようになっている。一対の保護壁４５の前端部は、ハウジングアーム３５の過度な撓みを規制する規制壁４７によって架橋されている。
【００２２】
雌端子２１は、図示しない電線の端末に加締め付けて接続される端子金具であり、図２及び図３に示すように、相手側の端子（雄端子）と電気的に接続される角筒状の電気接触部４９が形成され、電気接触部４９の周壁には、外側に切り起こした切り起こし部５１が設けられる。電気接触部４９は、内部に挿入されたタブ状の雄端子を押し付けて雄端子と電気的に接続されるようになっている。また、雌端子２１は、電気接触部４９の後方に電線端末の絶縁被覆から露出された導体を加締めて圧着する一対の導体圧着部５３と、電線端末の絶縁被覆を加締めて圧着する一対の電線圧着部５５とを有している。電気接触部４９と導体圧着部５３との間には、幅方向の両側からそれぞれ立ち上げられた一対の側壁５７が設けられ、各側壁５７の上端面が電気接触部４９の後端面５９と連なって形成される。
【００２３】
リテーナ２３は、合成樹脂を射出成形して形成され、図４及び図５に示すように、インナーハウジング２９を上下方向から挟み込むように断面がＵ字状に形成される。このリテーナ２３は、インナーハウジング２９の雌端子収容室１７ａ，１７ｂを包囲する壁に形成された開口部６１から雌端子収容室１７ａ，１７ｂの内部に挿入され、各雌端子収容室１７ａ，１７ｂにそれぞれ収容された雌端子２１と接触する柱状の端子接触部６３ａ，６３ｂと、開口部６１を介して雌端子２１の切り起こし部５１を係止するランス６５とを有している。また、リテーナ２３は、図２に示すように、インナーハウジング２９の開口部６１の前方側縁部６７が挿入されるレール状の溝部６９が幅方向に延在して設けられ、溝部６９に前方側縁部６７を挿入してリテーナ２３をスライドさせることにより、リテーナ２３が雌端子２１の挿入方向と交差（直交）する方向に案内されて、インナーハウジング２９の正規位置に装着されるようになっている。
【００２４】
リテーナ２３は、図４及び図５に示すように、互いに対向する上板７１と下板７３とを側板７５で支持して形成される。上板７１は、側板７５と反対側の端部から下板７３に向かって突出する第１係止板７７と、前方の端部から下板７３に向かって突出する第２係止板７９とを有している。下板７３の上板７１と対向する上面には、端子接触部６３ａ，６３ｂが突設されている。各端子接触部６３ａ，６３ｂは、リテーナ２３がインナーハウジング２９の正規位置まで移動する過程で雌端子２１をそれぞれ雌端子収容室１７ａ，１７ｂの前方に押し出す形状、つまり、雌端子２１を前方に押し出す方向に傾斜する傾斜面８１ａ，８１ｂを有して形成され、これらの傾斜面８１ａ，８１ｂは、リテーナ２３の前方に向かって側板７５側に傾いて形成され、且つ、開口部６１に向かって突出する方向の高さが同じ高さに位置されている。
【００２５】
インナーハウジング２９に形成される開口部６１（図２）は、図１に示すように、インナーハウジング２９の幅方向のリテーナ２３が装着される側の側壁８３から下壁８５に沿って幅方向に切り欠いて矩形状に形成される。開口部６１は、並列に配置された雌端子収容室１７ａ，１７ｂの内部をそれぞれ臨むように開放され、少なくとも、雌端子収容室１７ａ，１７ｂに仮挿入された雌端子２１の後端面５９とその前後の近傍が外部に開放される形状に形成されている。また、雌端子収容室１７ａ，１７ｂは、図６に示すように、互いに壁部８７を介して仕切られている。壁部８７は、リテーナ２３がインナーハウジング２９に装着される過程で端子接触部６３ａ，６３ｂが通過する部分を切り欠いて形成される。
【００２６】
インナーハウジング２９の下壁８５と反対側の上壁８９には、図２に示すように、幅方向に延在してリテーナ２３の後端面と対向する段付部９１が形成される。これにより、リテーナ２３は、開口部６１の前方側縁部６７に溝部６９を挿入し、端子接触部６３ａ，６３ｂを開口部６１からインナーハウジング２９の内側に挿入することで、上板７１の後端面が段付部９１と対向配置され、且つ、下板７３の後端面が開口部６１の後方側縁部９２と対向配置される。その結果、リテーナ２３は、前方への移動が、開口部６１の前方側縁部６７によって規制され、後方への移動が、段付部９１と、後方側縁部９２とによってそれぞれ規制される。
【００２７】
次に、雌コネクタハウジング１９にリテーナ２３を装着するときの動作について図６を参照して説明する。図６は、インナーハウジング２９にリテーナ２３を装着するときの動作を説明する図であり、（ａ）はリテーナ２３が仮装着された状態を示す正面図及び矢視Ａ−Ａ方向の断面図、（ｂ）はリテーナ２３が正規位置に装着された状態を示す正面図及び矢視Ｂ−Ｂ方向の断面図である。
【００２８】
まず、アウターハウジング３１の内側に位置するインナーハウジング２９の外周面に図示しないシール部材を装着し、各雌端子収容室１７ａ，１７ｂにそれぞれ電線が接続された雌端子２１を後方から挿入する。雌端子収容室１７ａ，１７ｂは、図６（ａ）に示すように、それぞれ、雌端子収容室１７ａ，１７ｂを形成する壁部８７がリテーナ２３の端子接触部６３ａ，６３ｂが通過する経路上で切り欠かれ、この雌端子収容室１７ａ，１７ｂにそれぞれ仮挿入された雌端子２１が、該経路上に後端面５９及びその前後方向の近傍を位置させて配置されている。
【００２９】
続いて、アウターハウジング３１から張り出したインナーハウジング２９にリテーナ２３を仮装着する。この場合、リテーナ２３は、溝部６９にインナーハウジング２９の開口部６１の前方側縁部６７を挿入させ、端子接触部６３ａ，６３ｂを開口部６１からインナーハウジング２９の内側に挿入する。このとき、端子接触部６３ａ，６３ｂは、図６（ａ）に示すように、それぞれ、雌端子収容室１７ａ，１７ｂの内側に位置する傾斜面８１ａ，８１ｂがそれぞれ雌端子２１の後端面５９と接触して配置される。なお、リテーナ２３は、このとき、必ずしも、雌端子２１に接触していなくてもよい。
【００３０】
続いて、インナーハウジング２９に仮装着されたリテーナ２３を前方側縁部６７に沿って押し込むことで、インナーハウジング２９の幅方向（雌端子２１の挿入方向と直交する方向）にリテーナ２３を移動させ、インナーハウジング２９の正規位置にリテーナ２３を位置させる。正規位置に位置されたリテーナ２３は、第１係止板７７がインナーハウジング２９の側壁８３と反対側の側壁９３（図１）に係止されることでインナーハウジング２９にロックされる。
【００３１】
一方、リテーナ２３は、仮装着された位置から正規位置まで移動する過程で、各端子接触部６３ａ，６３ｂの傾斜面８１ａ，８１ｂがそれぞれ雌端子２１の後端面５９を押し付けながら移動する。これにより、雌端子２１は、各端子接触部６３ａ，６３ｂの移動方向、つまり雌端子２１の挿入方向と直交する方向の動きが、傾斜面８１ａ，８１ｂによって、雌端子２１の挿入方向の動きに変換されて、雌端子収容室１７ａ，１７ｂの前方に押し出される。
【００３２】
雌端子収容室１７ａ，１７ｂの前方にそれぞれ押し出された各雌端子２１は、図２に示すように、開口部６１を介して雌端子収容室１７ａ，１７ｂの内側に延びるランス６５を外方に撓み変形させながら移動し、ランス６５を乗り越えることで切り起こし部５１がランス６５に係止される。また、リテーナ２３がインナーハウジング２９の正規位置に装着された時点で、各雌端子２１は、図６（ｂ）に示すように、端子接触部６３ａ，６３ｂによって後方への移動が規制される。これにより、各雌端子２１は、それぞれ、ランス６５と端子接触部６３によって２重に係止され、雌端子収容室１７ａ，１７ｂに完全挿入された状態が保持される。
【００３３】
本実施形態によれば、図６（ａ），（ｂ）に示すように、雌端子収容室１７ａ，１７ｂに収容された各雌端子２１を端子接触部６３ａ，６３ｂによって前方に押し出した状態で、後方への移動を規制することができるから、各雌端子２１のガタ付き量（前後方向に移動する量）をＬ１からＬ２に減少させることができ、雌端子２１のガタ付きを抑制することができる。これにより、コネクタ１１の耐震性が高められるとともに、雌端子２１と相手方の雄端子との接触信頼性を向上させることができる。
【００３４】
また、本実施形態の場合、リテーナ２３は、端子接触部６３ａ，６３ｂに形成された傾斜面８１ａ，８１ｂが、それぞれ、雌端子２１を挿入方向に移動させるように形成されるから、リテーナ２３の装着方向にかかわらず、簡単な構成で、雌端子２１を前方に移動させることができ、リテーナ２３の設計自由度を高めることができる。
【００３５】
以下では、本発明を実施するための他の各実施形態について説明する。ただ、これらの各実施形態はいずれも基本的に第１の実施形態と同様である。したがって、以下では、各実施形態に特徴的な構成についてだけ説明し、第１の実施形態と共通する構成については、同一の符号を付して説明を省略する。
【００３６】
（第２の実施形態）
図７に、本実施形態のリテーナ９５の要部の構成を示す。本実施形態が第１の実施形態と相違しているのは、各端子接触部９７ａ，９７ｂの傾斜面９９ａ，９９ｂの高さ方向の位置、つまり、開口部６１に向かって突出する方向の位置が重なり合わないように互いの位置をずらして設けられることである。本実施形態の端子接触部９７ａ，９７ｂは、一方の傾斜面９９ａに対して他方の傾斜面９９ｂの高さ方向の位置が上方にずらして配置され、端子接触部９７ｂの縦断面がＬ字状に形成される。すなわち、端子接触部９７ｂは、少なくとも傾斜面９９ａの厚み分、下板７３から浮かせた位置に傾斜面９９ｂが位置するように形成されている。なお、各雌端子収容室１７ａ，１７ｂにそれぞれ収容された雌端子２１は、互いに同じ高さ位置に配置されている。
【００３７】
本実施形態では、各端子接触部９７ａ，９７ｂがそれぞれ雌端子２１を押し付ける位置が高さ方向で異なっているが、端子接触部９７ａ，９７ｂは、いずれも、雌端子２１の後端面５９を同じ量だけ前方に押し出すように形成されている。
【００３８】
本実施形態によれば、上記の実施形態と同様、雌端子収容室１７ａ，１７ｂに収容された雌端子２１を端子接触部９７ａ，９７ｂによって前方へ押し出した状態で、後方への移動を規制することができるから、雌端子２１のガタ付きを抑制し、雌端子２１と相手方の雄端子との接触信頼性を向上させることができる。これにより、コネクタ１１の耐震性が高められるとともに、雌端子２１と相手方の雄端子との接触信頼性を向上させることができる。
【００３９】
また、金型内に樹脂を充填してリテーナ９５を射出成形する場合、第１の実施形態では、図７の矢印の方向からスライド型をキャビティ内に進入させると、アンダーカットになるため、２つの傾斜面９９ａ，９９ｂを同時に成形することができない。この点、本実施形態では、２つの傾斜面９９ａ，９９ｂが互いに高さ方向で重なり合わないように位置をずらして設けられるから、矢印の方向から１つのスライド型で同時に成形することができ、結果として金型の設計自由度を高めることができる。
【００４０】
（第３の実施形態）
図８に、本実施形態によるインナーハウジング２９及びリテーナ１０１の構成とリテーナ１０１が雌端子２１を押し出すときの動作を示す。本実施形態が第１の実施形態と相違しているのは、リテーナ１０１が雌端子２１の挿入方向に向かって斜めに移動することで、雌端子２１の挿入方向と直交する方向に延在するリテーナ１０１の平面部分を雌端子２１に押し付けて、雌端子２１を雌端子収容室１７ａ，１７ｂの前方に押し出すように構成されていることである。
【００４１】
インナーハウジング２９には、リテーナ１０１を雌端子収容室１７ａ，１７ｂの前方に案内する方向に傾斜する案内面１０３ａ,１０３ｂが、それぞれ開口部６１の後方側縁部９２に形成される。リテーナ１０１は、開口部６１に挿入されるとともに、各雌端子収容室１７ａ，１７ｂにそれぞれ収容された雌端子２１と接触する端子接触部１０５ａ，１０５ｂを有している。端子接触部１０５ａ，１０５ｂは、それぞれインナーハウジング２９の幅方向、つまり雌端子２１の挿入方向と直交する方向に延在して雌端子２１の後端面５９を押し付ける平面部分を前端面に有しており、後端面には、案内面１０３ａ，１０３ｂに対応する角度に傾斜して案内面１０３ａ，１０３ｂに沿ってスライドするスライド面１０７ａ，１０７ｂを有している。これにより、リテーナ１０１がインナーハウジング２９の正規位置まで移動する過程で、スライド面１０７ａ，１０７ｂが案内面１０３ａ，１０３ｂに沿ってスライドし、端子接触部１０５ａ，１０５ｂの平面部分が雌端子２１を前方に押し出すようになっている。
【００４２】
各雌端子収容室１７ａ，１７ｂを形成する壁部８７は、図８に示すように、端子接触部１０５ａ，１０５ｂが通過する部分が切り欠いて形成される。また、リテーナ１０１が装着される側の雌端子収容室１７ａは、リテーナ１０１の端子接触部１０５ａと連なる壁部１０９によって、壁部８７の少なくとも一部分が形成されるようになっている。
【００４３】
図８（ａ）に示すように、インナーハウジング２９に仮装着されたリテーナ１０１をインナーハウジング２９の幅方向に押し込むと、図８（ｂ）に示すように、スライド面１０７ａ，１０７ｂがそれぞれ案内面１０３ａ，１０３ｂに沿って移動する。これにより、リテーナ１０１は、雌端子２１の挿入方向に向かって斜めに移動し、端子接触部１０５ａ，１０５ｂによって雌端子２１が挿入方向に押し出される。そして、図８（ｃ）に示すように、リテーナ１０１がインナーハウジング２９の正規位置に装着されると、雌端子２１は、雌端子２１の挿入方向と直交する方向に延在する平面状の端子接触部１０５ａ，１０５ｂによって後方への移動が規制される。
【００４４】
本実施形態によれば、雌端子収容室１７ａ，１７ｂに収容された雌端子２１を端子接触部１０５ａ，１０５ｂによって前方へ押し出した状態で、後方への移動を規制することができるから、雌端子２１のガタ付き量をＬ３からＬ５に減少させることができ、雌端子２１のガタ付きを抑制することができる。これにより、コネクタ１１の耐震性が高められるとともに、雌端子２１と相手方の雄端子との接触信頼性を向上させることができる。また、本実施形態では、平面状に形成された端子接触部１０５ａ，１０５ｂによって、雌端子２１の後端面５９全体を係止することができるから、雌端子２１の保持力を安定させることができる。
【００４５】
以上、本発明を実施するためのいくつかの形態について説明したが、これらは代表的な例に過ぎず、本発明は、その趣旨を逸脱することのない範囲で様々な形態で実施することができる。
【００４６】
例えば、第１と第２の実施形態では、雌端子２１の後端面５９をリテーナ２３の端子接触部６３ａ，６３ｂによって係止する例を説明したが、雌端子２１を係止する部位は、後端面５９に限られるものではなく、端子接触部６３ａ，６３ｂが押し付け可能な部位であれば、その他の部位であっても構わない。
【００４７】
また、上記の実施形態では、図２において、リテーナ２３のランス６５に雌端子２１の切り起こし部５１を係止させ、雌端子２１をランス６５と端子接触部６３ａ，６３ｂによって２重に係止する例を説明したが、雌端子接触部６３ａ，６３ｂを有していれば、ランス６５を省略することもできる。
【符号の説明】
【００４８】
１１  コネクタ
１３  雌コネクタ
１５  雄コネクタ
１７ａ，１７ｂ  雌端子収容室
１９  雌コネクタハウジング
２１  雌端子
２３，９５，１０１  リテーナ
２９  インナーハウジング
４９  電気接触部
５９  後端面
６１  開口部
６３ａ，６３ｂ，９７ａ，９７ｂ，１０５ａ，１０５ｂ  端子接触部
６５  ランス
８１ａ，８１ｂ，９９ａ，９９ｂ  傾斜面
８７  壁部
１０３ａ，１０３ｂ  案内面
１０７ａ，１０７ｂ  スライド面
【図１】
2017054674.tif 000003
【図２】
2017054674.tif 000004
【図３】
2017054674.tif 000005
【図４】
2017054674.tif 000006
【図５】
2017054674.tif 000007
【図６】
2017054674.tif 000008
【図７】
2017054674.tif 000009
【図８】
2017054674.tif 000010